(57)【要約】      （修正有）【課題】 模様を重ねて組み合わせることの可能な組み合わせ模様データ生成装置及びその装置を備えたミシンを提供する。【解決手段】 模様組み合わせ手段２において、模様データ付与手段１からの模様データを組み合わせ、重複部削除手段３において重複部の部分データを削除する。【効果】模様の組み合わせに際して、模様重複部分は、部分データが削除され、１つの模様データのみが残るため、模様縫いの仕上がりも良好なものになる効果がある。そのため、模様を重ね合わせて組み合わせることが簡単に行えるようになり、模様選択の多様性が図れ、既成の模様から多種類の創作的な模様を作成することなども可能になる効果がある。【選択図】  図１
2005000678.tif 000002
【特許請求の範囲】
【請求項１】
模様縫い可能なミシンに、模様縫いを実行させるための模様データを与えるための手段と、
該模様データを与えるための手段からの基本模様の模様データに予め選択可能な部品模様の模様データの組み合わせから部品模様を選択して、模様データを複数組み合わせるための手段と、
該組み合わせるための手段により組み合わされた模様に重なり部分が生じる場合に、基本模様の模様データから部品模様の模様データの重なり部分の部分データを削除する手段と
を備えたことを特徴とする組み合わせ模様データ生成装置。
【請求項２】
模様縫い可能なミシンに、模様縫いを実行させるための模様データを与えるための手段と、
該模様データを与えるための手段からの基本模様の模様データに予め選択可能な部品模様の模様データの組み合わせから部品模様を選択すると共に、部品模様側の位置データを基本模様に適合するように修正して模様データを複数組み合わせるための手段と、
該組み合わせるための手段により組み合わされた模様に重なり部分が生じる場合に、基本模様の模様データから部品模様の模様データの重なり部分の部分データを削除する手段と
を備えたことを特徴とする組み合わせ模様データ生成装置。
【請求項３】
請求項１又は２に記載の組み合わせ模様データ生成装置を備えた模様縫い可能なミシン。
【発明の詳細な説明】
【技術分野】
【０００１】
この発明は組み合わせ模様データ生成装置及び組み合わせ模様データ生成装置を備えたミシンに関する。
【背景技術】
【０００２】
刺繍縫いなどの模様縫いが可能なミシンは、予めミシン内部に内蔵された模様データやＲＯＭカード等に記憶された模様データを読み込んで、該データに基づいて画一的に刺繍縫いを実行するように構成されている。
【発明の開示】
【発明が解決しようとする課題】
【０００３】
しかし、従来の模様データによる模様を組み合わせたい場合には、通常は個々の模様を別個に模様縫いさせるしかなかった。この場合、複数の模様を正確な位置に模様縫いさせることが難しく、しかも模様を重ねて組み合わせると、重ね縫いになるため、事実上模様を重ねて組み合わせることはできなかった。
また近年、模様の組み合わせ可能なものもあるが、同様に模様を重ねて組あわせることはできなかった。
本発明は上記した従来技術の問題点を解決しようとするもので、模様どうしを重ねて組み合わせることが可能な模様データ生成装置及びこの生成装置を備えたミシンを提供することを目的とする。
【課題を解決するための手段】
【０００４】
上記目的を達成するために本発明は、模様縫い可能なミシンに、模様縫いを実行させるための模様データを与えるための手段と、該模様データを与えるための手段からの基本模様の模様データに予め選択可能な部品模様の模様データの組み合わせから部品模様を選択して、模様データを複数組み合わせるための手段と、該組み合わせるための手段により組み合わされた模様に重なり部分が生じる場合に、基本模様の模様データから部品模様の模様データの重なり部分の部分データを削除する手段とを備えたことを特徴とする組み合わせ模様データ生成装置とすることで課題を解決した。また本発明は、模様縫い可能なミシンに、模様縫いを実行させるための模様データを与えるための手段と、該模様データを与えるための手段からの基本模様の模様データに予め選択可能な部品模様の模様データの組み合わせから部品模様を選択すると共に、部品模様側の位置データを基本模様に適合するように修正して模様データを複数組み合わせるための手段と、該組み合わせるための手段により組み合わされた模様に重なり部分が生じる場合に、基本模様の模様データから部品模様の模様データの重なり部分の部分データを削除する手段とを備えたことを特徴とする組み合わせ模様データ生成装置とすることで課題を解決した。またその発明を組み合わせ模様データ生成装置を備えた模様縫い可能なミシンとすることで課題を解決した。
【発明の効果】
【０００５】
本発明によれば、重複部分のデータが重ならないように処理するように構成しているため、仕上がりの良い模様の組み合わせデータを生成することが可能になる効果がある。また模様の組み合わせに際して、模様重複部分は、部分データが削除され、１つの模様データのみが残るため、模様縫いの仕上がりも良好なものになる効果がある。そのため、模様を重ね合わせて組み合わせることが簡単に行えるようになり、模様選択の多様性が図れ、既成の模様から多種類の創作的な模様を作成することなども可能になる効果がある。
【発明を実施するための最良の形態】
【０００６】
基本模様の模様データに予め選択可能な部品模様を組み合わせ、これで模様の重なりを生ずる場合には、削除するための手段が、基本模様の模様データから部品模様の模様データの重なり部分の部分データをを削除する。
模様データの削除は、予め設定された削除データに基づいて行うことが可能である。そして、上記構成は組み合わせ模様生成装置として単独に形成することも可能であるし、ミシン本体に組み込むことも可能である。また、一部分の構成をミシン本体に組み込み、他の部分を組み合わせ模様生成装置とすること等も可能である。
【実施例】
【０００７】
以下本発明の実施例を図面に基づいて説明する。
図１において、模様データ付与手段１は複数の模様データを備えている。この模様データは縫い目の位置を示す位置データ群から構成されており、更に表示手段４に模様を表示するための表示データを付随している。模様データ付与手段１において、ユーザの操作により組み合わされるべき模様データが選択されるようになっている。
模様データ付与手段１の模様データは模様組み合わせ手段２に送られ、ここで位置データの修正がなされて、模様組み合わせが実行されるようになっている。模様データ付与手段１で選択された模様は表示データに基づいて表示手段４に表示されるように構成されている。
模様組み合わせ手段２における組み合わせにより、模様どうしの重複が生じた場合には、重複部削除手段３において、重複部分の部分データが消去される。消去する部分データは、この実施例では予め組み合わせ対象となる模様に応じて決められている。
【０００８】
図２に模様データの構造を示す。この模様データには削除フラグが付随しており、該削除フラグは組み合わせる模様に応じて設定されている。
例えば図６に示す基本模様５０にリボンを組み合わせて図７の模様を作成するとすると、リボンを組み合わせ対象とする削除フラグは頭部データにおいて順に”００１１１０ーーー”と設定されている。この削除フラグは模様データの各縫い目データ毎に設定され、”１”の場合に縫いを行わないようになっている。即ち、リボンと組み合わせた場合には、（ｘ3、ｙ3）、（ｘ4、ｙ4）、（ｘ5、ｙ5）、ーーーの縫いは実行しないようになっている。
同様に帽子を組み合わせ対象とする場合、メガネを組み合わせ対象とする場合、ネクタイを組み合わせ対象とする場合の削除フラグが設定されている。
【０００９】
重複部削除手段３は該削除フラグに基づいて部分データの削除を実行し、これを縫い機構５に送って模様縫いを実行させるようになっている。なお、部分データの削除の際には付随する表示データも削除される。
重複部削除手段３からのデータは同時に記憶手段６に記憶させるようになっている。この記憶手段６に記憶されたデータに基づいても縫い機構５は同様に模様縫いを行えるようになっている。
また重複部削除手段３で削除処理が行われた組み合わせデータは、その表示データに基づいて表示手段４に表示されるようになっている。
なお、上記実施例では削除データに基づく部分データの削除を行うようにしているが、直接重なり部の部分データを検出して、削除するように構成することも可能である。
【００１０】
図３は具体的な構成を示すブロック図であり、マイクロコンピュータを主体に構成された中央演算処理装置１０を中心に構成した実施例を示す。
中央演算処理装置１０はミシン全体の制御を行っており、速度コントローラ２０からの指令に応じてミシンモータ駆動回路２１を介して縫い目形成機構２２を制御して縫いを実行させるようになっている。また、Ｘ−Ｙモータ駆動回路２３によりＸ方向モータ２４とＹ方向モータ２５を制御し、これにより刺繍枠（図示せず）をｘｙ方向に移動させて刺繍縫いを行わせるようになっている。
【００１１】
中央演算処理装置１０には模様データ記憶装置１１にが備えられており、選択釦１７の操作により模様データ記憶装置１１に記憶された模様を選択できるようになっている。模様データ記憶装置１１の模様データは縫い目を形成するための位置データ群から構成されており、これに表示データが付随している。
該選択された模様データは一時記憶装置１２に記憶され、同時に表示制御装置１５を介して表示装置１６に表示されるように構成されている。
なお、モード選択釦１８は通常縫いモードと通常刺繍縫いモード及び組み合わせ刺繍縫いモードを選択するためのものである。
【００１２】
この実施例では模様データ記憶装置１１に格納されている模様は、基本模様と部品模様に分類されており、基本模様に部品模様を組み合わせるように構成されている。
図４は刺繍モードにおける表示装置１６の初期画面を示すもので、最初に模様データ記憶装置１１から基本模様５０が読み出されて、図示するように表示されるようになっている。表示装置１６はタッチパネルになっており、各基本模様５０の上に選択釦１７が形成されるようになっている。
図５に示すように選択釦１７に触れることにより、基本模様５０の１が選択されると、前記したように一時記憶装置１２に記憶されると共に、図６に示すように基本模様５０が拡大表示され、同時に部品模様５１が表示されるようになっている。また同様に各部品模様５１に選択釦１７’が形成されるように構成されている。
【００１３】
図７に示すように、ユーザが選択釦１７’に接触して部品模様５１を選択すると、基本模様５０と部品模様５１の組み合わせ及び重複部のデータ削除が実行され、この組み合わせデータが一時記憶装置１２に格納されると共に、図７に示すように表示装置１６に表示されるようになっている。
また組み合わせデータは、模様データと表示データ共に記憶装置１９に記憶され、再利用可能となっている。この記憶装置１９としては、ＲＡＭ等の内蔵メモリや或いは着脱可能なＩＣカードやフロッピーディスク等を用いることができる。
図８乃至図１０は模様組み合わせの具体例である。
【００１４】
基本模様５０と部品模様５１の組み合わせは模様組み合わせプログラム記憶装置１３に格納されたプログラムにより実行されるようになっている。この実施例では部品模様５１側の位置データを基本模様５０に適合するように修正するようになっている。
また重複部分のデータ削除は基本模様５０側で行うようになっており、図２に示すように削除フラグに応じてデータの削除が実行されるように構成されている。
なお、データの削除はこの実施例では最初に選択される基本模様５０で行われるが、重複部分の面積割合に応じて自動的に決定するようにすることも可能である。即ち、重複部分の面積割合が小さい模様から重複部分のデータを削除することによりバランスの良い組み合わせ模様の形成が可能である。またユーザの操作により、任意の模様のデータを削除するようにしても良い。
【００１５】
図１１により、動作を説明する。
モード選択釦１８により、刺繍縫いが選択され、更に組み合わせ刺繍縫いが選択されると（ステップＴ１）、組み合わせ刺繍モードとなる（ステップＰ１）。中央演算処理装置１０は模様データ記憶装置１１から基本模様データを全て読み出し（ステップＰ２）、基本模様群を表示装置１６に表示する（ステップＰ３）。そして、ユーザが選択釦１７の操作により模様選択を行うと（ステップＰ４）、変更の確認をして（ステップＴ２）、基本模様を確定し、一時記憶装置１２に記憶する（ステップＰ５）。そして、部品模様を読み出すか否か判定し（ステップＴ３）、読み出さない場合にはステップＰ２に戻る。読み出す場合には、部品模様群を表示し（ステップＰ６）、ユーザが選択釦１７の操作により部品模様選択を行うと（ステップＰ７）、変更の確認をして（ステップＴ４）、部品模様を確定し、一時記憶装置１２に記憶する（ステップＰ８）。
そして、基本模様と部品模様の組み合わせと重複部の削除を行い（ステップＰ９）、組み合わせ形態を表示装置１６に表示する（ステップＰ１０）。
次に縫製の開始を確認し（ステップＴ５）、縫製を開始し（ステップＰ１１）、終了を確認して（ステップＴ６）、作業を終了する。
なお、ステップＴ１で通常刺繍モードの場合には、通常刺繍モードの工程を実行し（ステップＰ１２、１３）、ステップＴ５に移行する。
【００１６】
なお、上記実施例では組み合わせ模様データ生成装置を備えたミシンにつて、説明したが、これに限定されるものではなく、組み合わせ模様データ生成装置を単独の装置として構成することも可能である。また一部分をミシンに組み込み、一部分を独立の装置とする等、種々の形態を採用することが可能である。
また基本模様５０と部品模様５１の場合に付いて説明したが、これに限定されるものではなく、どのような模様の組み合わせも可能である。また、２つの組み合わせだけではなく、２以上の多数の模様の組み合わせも可能である。
【００１７】
以上説明した実施例によれば、模様の組み合わせに際して、模様重複部分は、部分データが削除され、１つの模様データのみが残るため、模様縫いの仕上がりも良好なものになる効果がある。そのため、模様を重ね合わせて組み合わせることが簡単に行えるようになり、模様選択の多様性が図れ、既成の模様から多種類の創作的な模様を作成することなども可能になる効果がある。
【図面の簡単な説明】
【００１８】
【図１】本発明の一実施例を示す機能ブロック図。
【図２】本発明の一実施例における模様データの構造を示す説明図。
【図３】本発明の一実施例の具体的な構成を示すブロック図。
【図４】本発明の一実施例における表示装置１６の表示例を示す説明図。
【図５】本発明の一実施例における表示装置１６の表示例を示す説明図。
【図６】本発明の一実施例における動作を説明する説明図。
【図７】本発明の一実施例における動作を説明する説明図。
【図８】本発明の一実施例における組み合わせ模様の具体例を示す説明図。
【図９】本発明の一実施例における組み合わせ模様の具体例を示す説明図。
【図１０】本発明の一実施例における組み合わせ模様の具体例を示す説明図。
【図１１】本発明の一実施例の動作を示すフローチャート図。
【符号の説明】
【００１９】
１：模様データ付与手段、２：模様組み合わせ手段、３：重複部削除手段、４：表示手段、５：縫い機構、６：記憶手段、１０：中央演算処理装置、１１：模様データ記憶装置、１２：一時記憶装置、１３：模様組み合わせプログラム記憶装置、１４：重複部削除プログラム記憶装置、１５：表示制御装置、１６：表示装置、１７：選択釦、１８：モード選択釦、１９：記憶装置、２０：速度コントローラ、２１：ミシンモータ駆動回路、２２：縫い目形成機構、２３：Ｘ−Ｙモータ駆動回路、２４：Ｘ方向モータ、２５：Ｙ方向モータ、５０：基本模様、５１：部品模様。
【図１】
2005000678.tif 000003
【図２】
2005000678.tif 000004
【図３】
2005000678.tif 000005
【図４】
2005000678.tif 000006
【図５】
2005000678.tif 000007
【図６】
2005000678.tif 000008
【図７】
2005000678.tif 000009
【図８】
2005000678.tif 000010
【図９】
2005000678.tif 000011
【図１０】
2005000678.tif 000012
【図１１】
2005000678.tif 000013